(57)【要約】【課題】ピックアップの傾き調整機構の構成を簡素にし、且つターンテーブルの回転中心からガイド軸に至るまでの距離Ｌのバラ付きを少なくする。【解決手段】ディスク記録又は再生装置は、シャーシ１上にディスク７を回転させるターンテーブル３と、該ターンテーブル３に接近離間可能に移動自在に設けられディスク７の信号面にレーザー光を発射するピックアップ２と、ピックアップ２の移動を案内するガイド軸４と、ガイド軸４の両端部を昇降可能に支持する支持部材５と、該ピックアップ２及びガイド軸４をディスク７の信号面に対して傾ける調整機構を具えている。ターンテーブル３はモータＭ１によって駆動され、モータＭ１は、シャーシ１に取り付けられるブラケット８上に設けられている。支持部材５はブラケット８と一体に形成されている。【選択図】    図１
2004355711.tif 000002
【特許請求の範囲】
【請求項１】
シャーシ（１）上にディスク（７）を回転させるターンテーブル（３）と、該ターンテーブル（３）に接近離間可能に移動自在に設けられディスク（７）の信号面にレーザー光を発射するピックアップ（２）と、ピックアップ（２）の移動を案内するガイド軸（４）と、ガイド軸（４）の両端部を昇降可能に支持する支持部材（５）と、該ピックアップ（２）及びガイド軸（４）をディスク（７）の信号面に対して傾ける調整機構を具え、ターンテーブル（３）はモータ（Ｍ１）によって駆動され、モータ（Ｍ１）は、シャーシ（１）に取り付けられるブラケット（８）上に設けられたディスク記録又は再生装置に於いて、
支持部材（５）はブラケット（８）と一体に形成されたことを特徴とするディスク記録又は再生装置。
【請求項２】
シャーシ（１）上にディスク（７）を回転させるターンテーブル（３）と、該ターンテーブル（３）に接近離間可能に移動自在に設けられディスク（７）の信号面にレーザー光を発射するピックアップ（２）と、ピックアップ（２）の移動を案内するガイド軸（４）と、ガイド軸（４）の両端部を昇降可能に支持する支持部材（５）と、該ピックアップ（２）及びガイド軸（４）をディスク（７）の信号面に対して傾ける調整機構を具え、支持部材（５）（５０）はシャーシ（１）に一体に形成され、ターンテーブル（３）はモータ（Ｍ１）によって駆動されるディスク記録又は再生装置に於いて、
モータ（Ｍ１）のステータ基板（９）は直接シャーシ（１）に取り付けられることを特徴とするディスク記録又は再生装置。
【発明の詳細な説明】
【０００１】
【発明の属する技術分野】
本発明は、ディスクの信号面に対してピックアップを傾ける傾き調整機構を具えたディスク記録又は再生装置に関する。
【０００２】
【従来の技術】
図６は、一般的なディスク記録又は再生装置の斜視図である。周知の如く、シャーシ（１）上には、モータ（Ｍ１）に連繋してディスク（７）を回転させるターンテーブル（３）、該ターンテーブル（３）に接近離間可能に設けられたピックアップ（２）が設けられている。ピックアップ（２）は、シャーシ（１）上のピックアップ駆動モータ（Ｍ２）からギア列（１０）を介して動力供給され、ガイド軸（４）に沿って移動する。ディスク（７）の信号面にピックアップ（２）からレーザー光を当てて、反射された信号を再びピックアップ（２）で読みとって信号を再生する。
図７は、ディスク（７）の裏面図である。ディスク（７）の信号面には、円周方向に沿って複数のピット（７３）（７３）が凹設され、該ピット（７３）にレーザー光を当てたときと、ピット（７３）以外の箇所にレーザー光を当てたときとでは反射光の強さが異なる。これにより、０と１からなるデジタル信号を再生する。
【０００３】
ディスク（７）は記録媒体として広く用いられているが、近年信号が高密度記録されたディスク、具体的にはＤＶＤがある。該ディスクでは信号は高密度記録されているから、ディスク半径方向のピット（７３）（７３）の間隔Ｈが狭い。この為、信号を正しく再生するには、レーザー光のビーム径を小さくする必要がある。このビーム径はレーザー光の波長に比例し、ピックアップ（２）内の対物レンズの開口数ＮＡに反比例する関係にある。従って、かかるディスクでは開口数ＮＡをレーザー光の波長の長いＣＤ（ｃｏｍｐａｃｔ  ｄｉｓｃ）と比べ大きく設定している。具体的には、開口数ＮＡはＣＤの０．４５より大きい０．６程度である。この様に、開口数ＮＡを大きく設定すると、ディスク（７）の信号面に対してレーザー光の光軸が僅かに傾いた場合、小径のビーム径では誤った位置のピット（７３）を照射し、信号を正しく再生できない虞れがある。そこで、シャーシ（１）上にピックアップ（２）を嵌めたガイド軸（４）の傾きを調整する機構を設け、装置を製造する工程に於いて、ピックアップ（２）の傾きを図６のＤ方向（シャーシ（１）に直交し、ガイド軸（４）を含む面内）に微調整し、高密度記録されたディスクをスムーズに再生することが提案されている。
【０００４】
図８は、図６の傾き調整機構をＢ方向から見た側面断面図である（例えば、特許文献１参照）。ガイド軸（４）の両端部は、シャーシ（１）上にネジ（５５）止めされた支持部材（５）（５）に昇降可能に嵌まり、ガイド軸（４）は支持部材（５）内に設けられた押しバネ（５６）により下向きに付勢される。一方の支持部材（５）内にてシャーシ（１）の下側からは、調整ビス（６）が螺合し、該調整ビス（６）の先端がガイド軸（４）に接する。調整ビス（６）を回動させると、調整ビス（６）に接したガイド軸（４）の一端部が昇降し、ガイド軸（４）はピックアップ（２）の移動方向を含みシャーシ（１）に略直交した面内にて傾く（図６のＤ方向）。
図８に示す傾き調整機構では、支持部材（５）、支持部材（５）をシャーシ（１）に留めるネジ（５５）が必要で構成部品点数が多い。この点に鑑みて、図９に示すように、金属製のシャーシ（１）の一部を折曲して支持部材（５）を形成し、構成部品点数を低減したものもある（例えば、特許文献２参照）。
ターンテーブル（３）を回転させるモータ（Ｍ１）は、ターンテーブル（３）と同軸に設けられる。ターンテーブル（３）は、ステータ基板（９）、金属製のブラケット（８）を介してシャーシ（１）上に載置され、ブラケット（８）がシャーシ（１）にネジ止めされる。
【０００５】
【特許文献１】
特開２００１−５２３４５号公報（図３）
【特許文献２】
特開２００２−２８８９４８号公報（図６）
【０００６】
【発明が解決しようとする課題】
図９に示す構成では、モータ（Ｍ１）はステータ基板（９）、金属製のブラケット（８）を介してシャーシ（１）に取り付けられるから、モータ（Ｍ１）の回転中心からガイド軸（４）に至るまでの距離Ｌにバラ付きがある。図１０は、ターンテーブル（３）とピックアップ（２）の平面図である。ピックアップ（２）の対物レンズ（２０）は、周知の如く、ターンテーブル（３）の回転中心を通る仮想線Ｘに沿って移動しなければならない。しかし、かかる距離Ｌがバラ付くと、対物レンズ（２０）の移動軌跡は仮想線Ｘから外れ、信号が正しく再生されない虞れがある。
本発明の目的は、ピックアップの傾き調整機構の構成を簡素にし、且つターンテーブル（３）の回転中心からガイド軸（４）に至るまでの距離Ｌのバラ付きを少なくすることにある。
【０００７】
【課題を解決する為の手段】
ディスク記録又は再生装置のターンテーブル（３）はモータ（Ｍ１）によって駆動され、モータ（Ｍ１）は、シャーシ（１）に取り付けられるブラケット（８）上に設けられ、ガイド軸（４）を昇降可能に支持する支持部材（５）はブラケット（８）と一体に形成されている。
【０００８】
【作用及び効果】
ターンテーブル（３）回転用のモータ（Ｍ１）を支持するブラケット（８）に、ガイド軸（４）を昇降可能に支持する支持部材（５）を一体に形成しているから、ターンテーブル（３）の回転中心からガイド軸（４）に至るまでの距離Ｌがバラ付くことは少なくなる。これにより、ディスク上の信号は正しく再生される。
また、支持部材（５）をブラケット（８）と一体に形成したことにより、構成部品点数も少なくなる。
【０００９】
【発明の実施の形態】
以下、本発明の一例を図を用いて詳述する。
図１は、本例に係わるディスク記録又は再生装置の平面図であり、図２はターンテーブル（３）の正面図である。従来と同様に、シャーシ（１）上には、モータ（Ｍ１）に連繋してディスク（７）を回転させるターンテーブル（３）、該ターンテーブル（３）に接近離間可能に設けられたピックアップ（２）が設けられている。ピックアップ（２）は、シャーシ（１）上のピックアップ駆動モータ（Ｍ２）からリードスクリュー（１２）を介して動力供給され、ガイド軸（４）に沿って移動する。シャーシ（１）上には、大開口（１１）が開設され、ガイド軸（４）は該大開口（１１）に跨って設けられる。該大開口（１１）内にピックアップ（２）が嵌まる。ピックアップ（２）の対物レンズ（２０）の移動軌跡は、前記の如く、ターンテーブル（３）の回転中心を通る必要がある。
【００１０】
ターンテーブル（３）は、その下側に位置するモータ（Ｍ１）によって回転駆動され、該モータ（Ｍ１）はステータ基板（９）、ブラケット（８）を介してシャーシ（１）に取り付けられる。ブラケット（８）は、金属板を折曲して形成され、シャーシ（１）に対向する平板（８１）の両端部から、第１支持部材（５）（５）を上向きに突出している。第１支持部材（５）には、縦孔（５１）が開設され、該縦孔（５１）にガイド軸（４）の一端部が昇降自在に嵌まる。ガイド軸（４）の他端部は、シャーシ（１）から上向きに突出した第２支持部材（５０）に嵌まる。
大開口（１１）の周縁からは突起（１３）が内向きに突出し、該突起（１３）にネジリバネ（１４）の中心部が嵌まる。ガイド軸（４）は、該ネジリバネ（１４）（１４）（１４）及びシャーシ（１）上の板バネ（１５）により下向きに付勢される。第１支持部材（５）の近傍にて、シャーシ（１）の下側からは、調整ビス（６）が螺合し、該調整ビス（６）の先端部がガイド軸（４）の下端に接する。
従来と同様に、調整ビス（６）を回動させると、ガイド軸（４）の一端部が昇降し、ガイド軸（４）が傾き調整される。ピックアップ（２）の傾き調整時には、基準信号が記録されたディスクを再生しながら、調整ビス（６）を回転させて、再生信号のエラーレート又はジッターが最良となる位置にて調整を止める。
【００１１】
図３は、ターンテーブル（３）及びブラケット（８）の斜視図であり、図４は、ターンテーブル（３）の断面正面図である。ターンテーブル（３）を駆動するモータ（Ｍ１）はブラシレスモータであり、ブラケット（８）を絞り加工して形成された筒体（８０）に、軸受け（９０）を介してモータ軸（９１）が嵌まる。モータ軸（９１）はターンテーブル（３）と同軸に嵌まる。
ステータ基板（９）上には、鉄心に巻かれたコイル（９２）（９２）が設けられ、該コイル（９２）（９２）の外側に、モータ軸（９１）に嵌まったロータ（９３）が対向する。ロータ（９３）の内面は着磁され、周知の如く、コイル（９２）に通電すると、ロータ（９３）、モータ軸（９１）、ターンテーブル（３）が回転する。
ステータ基板（９）は、ブラケット（８）の平板（８１）上に位置決めされて取り付けられる。従って、ステータ基板（９）上のターンテーブル（３）と第１支持部材（５）との距離Ｌ（図１参照）は精度良く定まる。前記の如く、距離Ｌがバラ付くと、信号が正しく再生されないが、本例にあっては距離Ｌが定まるから、信号が正しく再生される。
また、支持部材（５）をブラケット（８）と一体に形成したことにより、構成部品点数も少なくなる。
【００１２】
また、ブラケット（８）の平板（８１）はシャーシ（１）に比して面積が小さいから、平板（８１）の平面度を精度良く設けることができる。平板（８１）が歪んでいては、ターンテーブル（３）が傾き、またターンテーブル（３）と第１支持部材（５）との距離Ｌを精度良く設けることができないから、この点でも、距離Ｌを精度良く設けることができる。
上記例では、モータ（Ｍ１）を取り付けるブラケット（８）上に、第１支持部材（５）を設けている。しかし、図５に示すように、シャーシ（１）に筒体（８０）を形成するとともに、シャーシ（１）上にステータ基板（９）を載置し、シャーシ（１）上に第１支持部材（５）を一体に形成してもよい。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】ディスク記録又は再生装置の平面図である。
【図２】ターンテーブルの正面図である。
【図３】ターンテーブル及びブラケットの斜視図である。
【図４】ターンテーブルの断面正面図である。
【図５】別の実施例に於けるディスク記録又は再生装置の平面図である。
【図６】従来のディスク記録又は再生装置の斜視図である。
【図７】ディスクの裏面図である。
【図８】従来の傾き調整機構の側面図である。
【図９】別の従来の傾き調整機構の側面図である。
【図１０】従来のターンテーブルとピックアップの平面図である。
【符号の説明】
（１）    シャーシ
（２）    ピックアップ
（３）    ターンテーブル
（４）    ガイド軸
（５）    第１支持部材
（６）    調整ビス
（７）    ディスク
（８）    ブラケット
（５０）    第２支持部材
【図１】
2004355711.tif 000003
【図２】
2004355711.tif 000004
【図３】
2004355711.tif 000005
【図４】
2004355711.tif 000006
【図５】
2004355711.tif 000007
【図６】
2004355711.tif 000008
【図７】
2004355711.tif 000009
【図８】
2004355711.tif 000010
【図９】
2004355711.tif 000011
【図１０】
2004355711.tif 000012